(57)【要約】      （修正有）【課題】マイクロエンジンハンドピースとエアータービンハンドピースの機能を１本のハンドピースで達成し、トルクが必要な切削はマイクロモータのトルクを用いて切削し、高速回転が必要な切削はエアータービンの回転を用いて切削する。【解決手段】ヘッド２内に回転筒１０を有し、該回転筒１０の外周に、エアーが吹き付けられるタービン羽根１１と、ハンドピース１内に設けられたモータによって回転される歯車１５に噛合して回転される歯車１３とが設けられている。トルクが必要な切削の場合には、歯車１３と１５を噛合させ、モータによって回転筒１０（切削バー３）を回転し、高速回転が必要な切削の場合には、歯車１３と１５の噛合を解き、タービン羽根１１によって回転させる。【選択図】図１
2007167159.tif 000002
【特許請求の範囲】
【請求項１】
ヘッド内に、チャック機構を備えた回転筒を有し、該回転筒の外周に、エアーが吹き付けられるタービン羽根とハンドピース内に設けられたモータによって回転される歯車に噛合して回転される歯車とを有し、該回転筒が前記エアーの吹き付け又はモータによって選択的に回転されるようにしたことを特徴とする歯科治療用ハンドピース。
【請求項２】
前記回転筒に設けられている歯車と噛合する歯車の回転軸は、前記モータによって回転される回転軸に対して軸方向へ移動可能に連結されており、常時は、ばね力によって前記回転筒に向けて押圧されて、前記移動可能な回転軸に取り付けられている歯車が前記回転筒の歯車と噛合していることを特徴とする請求項１に記載の歯科治療用ハンドピース。
【請求項３】
前記回転筒に設けられている歯車と噛合する歯車の回転軸は、前記モータによって回転される回転軸の軸心に設けられている中心孔に対して軸方向に移動可能にかつ回転不可に連結されており、常時は、ばね力により前記回転筒に向けて押圧されて、前記移動可能な回転軸の歯車が前記回転筒の歯車と噛合していることを特徴とする請求項１に記載の歯科治療用ハンドピース。
【請求項４】
前記中心孔は排気通路に連通しており、前記回転筒がタービン羽根に吹き付けられたエアーによって回転される時、タービン羽根に吹き付けられた後のエアー圧によって前記移動可能な回転軸が移動されて前記歯車の噛合が解除されることを特徴とする請求項３に記載の歯科治療用ハンドピース。
【発明の詳細な説明】
【技術分野】
【０００１】
本発明は、歯科治療用ハンドピース、より詳細には、単一の歯科治療用ハンドピースで、従来より周知の、マイクロエンジンハンドピースとエアータービンハンドピースの両機能を達成できるようにしたもの、換言すれば、単一のハンドピースで、モータの回転トルクを用いて歯牙等の切削を行うことと、エアータービンによる回転を用いて切削等を行うことの両方を達成できるようにした歯科治療用ハンドピースに関する。
【背景技術】
【０００２】
図２は、従来より周知のエアータービンハンドピースの一例を説明するための図で、図２（Ａ）において、１はハンドピース部（握持部）、２はヘッド部、３は該ヘッド部２に着脱自在に装着される歯科治療具（例えば、切削バー）、４はハンドピース部１にエアー，電気，水等を供給するためのインスツルメントホースで、ヘッド部２内には、図２（Ｂ）に示すように、外周部にタービン羽根１１を有する回転筒１０が回転自在に設けられ、エアー通路１２から噴射されるエアーをタービン羽根１１に吹き付けることによって回転されるようになっている。回転筒１０内には、周知のように、蓋部材５の押下によって開放され（切削バー３の挿脱を可能にする）、押下力を解くことによってチャックする（切削バー３を掴む）チャック機構が設けられており、該チャック機構により歯科治療具（例えば、切削バー）３が着脱自在に装着され、該歯科治療具３により、歯牙等の切削が行われる。
【０００３】
図３は、従来より周知のマイクロエンジンハンドピースの一例を説明するための図で、図３（Ａ）において、１はハンドピース部、２はヘッド部、３は該ヘッド部２に着脱自在に装着される歯科治療具（例えば、切削バー）、４はハンドピース部１にエアー，電気，水等を供給するためのインスツルメントホース、５はハンドピース部１内に設けられるモータＭの収納部で、ヘッド部２内には、図３（Ｂ）に示すように、外周部に歯車１３を有する回転筒１０が回転自在に設けられ、該歯車１３は、ハンドピース部１内に設けられたモータＭによって回転される回転軸１４に設けられた歯車１５と噛合し、これによって、回転筒１０はハンドピース部１内に設けられたモータＭによって回転される。
【０００４】
上述のように、従来、エアータービンハンドピースとマイクロエンジンハンドピースとは別々に構成され、治療目的等、必要に応じて使い分けられていた。例えば、歯牙切削時、回転トルクが必要な場合は、マイクロエンジンハンドピースを使用し、高い回転数が必要な場合は、エアータービンハンドピースを使用していた。具体的には、マイクロエンジンハンドピースの場合は、最近では、回転筒１０（従って、切削バー３）の最高回転速度をモータＭの回転速度を５倍速くした２００，０００ＲＰＭのマイクロエンジンハンドピースを使用し、エアータービンハンドピースの場合は、回転筒１０（従って、切削バー３）の回転速度を３００，０００〜４００，０００ＲＰＭとしたエアータービンハンドピースを使用する等、切削状況に応じて（歯牙を深く切削するか、浅く切削するか等により）、これら２本のハンドピースを使い分けていた。
【発明の開示】
【発明が解決しようとする課題】
【０００５】
本発明は、上述のごとき、２本のハンドピース（マイクロエンジンハンドピースとエアータービンハンドピース）の機能を１本のハンドピースで達成し、トルクが必要な切削はマイクロモータのトルクを用いて切削し、高回転数が必要な切削はエアータービンを用いて切削するようにし、１本のハンドピースを、これら使用目的に応じ使い分け可能とすることを目的としてなされたものである。
【課題を解決するための手段】
【０００６】
請求項１の発明は、ヘッド内に、チャック機構を備えた回転筒を有し、該回転筒の外周に、エアーが吹き付けられるタービン羽根とハンドピース内に設けられたモータによって回転される歯車に噛合して回転される歯車とを有し、該回転筒が前記エアーの吹き付け又はモータによって選択的に回転されるようにしたことを特徴としたものである。
【０００７】
請求項２の発明は、請求項１の発明において、前記回転筒に設けられている歯車と噛合する歯車の回転軸は、前記モータによって回転される回転軸に対して軸方向へ移動可能に連結されており、常時は、ばね力によって前記回転筒に向けて押圧されて、前記移動可能な回転軸に取り付けられている歯車が前記回転筒の歯車と噛合していることを特徴としたものである。
【０００８】
請求項３の発明は、請求項１の発明において、前記回転筒に設けられている歯車と噛合する歯車の回転軸は、前記モータによって回転される回転軸の軸心に設けられている中心孔に対して軸方向に移動可能にかつ回転不可に連結されており、常時は、ばね力により前記回転筒に向けて押圧されて、前記移動可能な回転軸の歯車が前記回転筒の歯車と噛合していることを特徴としたものである。
【０００９】
請求項４の発明は、請求項３の発明において、前記中心孔は排気通路に連通しており、前記回転筒がタービン羽根に吹き付けられたエアーによって回転される時、タービン羽根に吹き付けられた後のエアー圧によって前記移動可能な回転軸が移動されて前記歯車の噛合が解除されることを特徴としたものである。
【発明の効果】
【００１０】
本発明によると、１本のハンドピースで、トルクが必要な切削はマイクロエンジンを用い、高速回転が必要な切削はエアータービンを用いて行うことが可能で、状況に応じて、必要な方を選択して用いて切削することができ、その都度、ハンドピースを取り換えることなく、１本のハンドピースで両切削作業を行うことができるので、効率よい歯科治療を行うことができる。
【発明を実施するための最良の形態】
【００１１】
図１は、本発明による歯科治療用ハンドピースの一例を説明するための要部（ヘッド部）概略構成図で、図中、１はハンドピース本体部、２はハンドピースのヘッド部、３は歯科治療具（切削バー）、１０は回転筒で、該回転筒１０内には、前述のように、チャック機構が設けられており、歯科治療具３は、前述のように、蓋部材５を押下することにより、該チャック機構により回転筒１０に着脱自在に装着されるようになっている。回転筒１０の外周部には、図２に示したタービン羽根１１、及び、図３に示した歯車１３が設けられており、前述のように、エアー通路１２よりタービン羽根１１にエアーが吹き付けられて回転筒１０が回転し、或いは、ハンドピース部１内のモータＭの回転によって回転される回転軸１４の回転によって歯車１３が回転されて、回転筒（換言すれば、歯科治療具３）が回転されて、例えば、歯牙の切削等が行われる。
【００１２】
歯牙の切削に当り、トルクを必要とする時（切削深さが深い時）は、マイクロモータを用い、高速回転を必要とする時（切削深さが浅い時）は、エアータービンを用いるが、現在、マイクロモータを用いたマイクロエンジンハンドピースにおいては、マイクロモータの回転数を増速する増速ギアを用いて５倍速にした約２００，０００ＲＰＭのマイクロエンジンハンドピースが使用されており（マイクロモータを用いた場合でも、回転数が高いほど、切削効率がよい）、好ましくは、２００，０００ＲＰＭまではマイクロモータを用いて切削し、２００，０００ＲＰＭ以上ではエアータービンを用いて切削する。
【００１３】
マイクロモータＭによって５倍速回転される回転軸１４の先端には、該回転軸１４に対して軸方向に移動可能で回転方向には固定されている回転軸１６が設けられ、該回転軸１６の先端には回転筒１０の歯車１３と噛合する歯車１５が設けられている。この回転軸１６は、ばね部材１７によって、常時は、歯車１５が歯車１３に噛合するように回転筒１０側に押圧されており、これにより、マイクロモータＭを駆動した時は、該マイクロモータの回転が５倍速変換ギアを介して回転軸１４に伝達され、該回転軸１４の回転が移動回転軸１６を通して歯車１５に伝達され、該歯車１５と歯車１３との噛合により、回転筒１０が回転される。
【００１４】
回転筒１０を、タービン羽根によって回転する時は、歯車１３と１５を噛合させたままの状態で、エアー通路１２よりタービン羽根１１にエアーを吹き付けると、回転筒１０が回転するが、その際、吹き込まれたエアーによってタービン羽根室２０の圧力が上昇するので、この圧力を利用して回転軸１６をばね１７の押圧力に抗して押し返して、歯車１３と１５の噛合を解き、これにより、エアータービンとしての利用を可能にしている。
【００１５】
例えば、モータによって回転される回転軸１４の中心に移動軸１６が係合する中心孔１８を設け、この中心孔１８内に移動回転軸１６が軸方向に移動可能にかつ回転不可に連結するとともに、この中心孔１８に連通する排気孔１９を設けておくと、回転移動軸１６はタービン羽根室に吹き込まれたエアーの圧力によって矢印Ａ方向に押され、これによって、歯車１３と１５の噛合が解かれ、回転筒１０（従って、切削バー３）をエアータービンで回転させることができる。なお、この場合、中心孔１８と移動軸１６は気密に連結されている必要があるが、気密連結が困難な時は、移動軸１６の先端にピストンリング１６’等を設け、排気通路１９との気密を保つようにすると、タービン羽根室２０内のエアー圧によって、より確実に移動軸１６を矢印Ａ方向に移動することができる。
【００１６】
上述のように、本発明によると、単一のハンドピースを用いて、トルクを必要とする切削時でのマイクロモータによる回転と、高速回転を必要とする切削時でのエアータービンによる回転とを使い分けて使用することができ、歯科治療作業を効果的に行うことができる。
【図面の簡単な説明】
【００１７】
【図１】本発明による歯科治療用ハンドピースの一例を説明するための要部（ヘッド部）概略構成図である。
【図２】従来より周知のエアータービンハンドピースの一例を説明するための図である。
【図３】従来より周知のマイクロエンジンハンドピースの一例を説明するための図である。
【符号の説明】
【００１８】
１…ハンドピース部、２…ヘッド部、３…歯科治療具（切削バー）、４…インスツルメントホース、１０…回転筒、１１…タービン羽根、１２…エアー通路、１３…歯車、１４…モータによって回転される回転軸、１５…歯車、１６…移動（回転）軸、１７…ばね部材、１８…中心孔、１９…排気孔、２０…タービン羽根室。
【図１】
2007167159.tif 000003
【図２】
2007167159.tif 000004
【図３】
2007167159.tif 000005